(57)【要約】【課題】機能の設定項目に設定情報を設定する際の操作手順を少なくする。【解決手段】画像処理装置１０では、操作パネル上で機能アイコンのドラッグが開始されると、パラメータエリア表示部２２が、操作パネル上にパラメータエリアを表示し、パラメータ取得部２３が、機能アイコンが表す機能の設定項目に対する複数のパラメータを取得し、パラメータ表示部２４が、その複数のパラメータを表す複数のパラメータアイコンをパラメータエリア内に表示する。そして、操作パネル上で機能アイコンが何れかのパラメータアイコン上にドラッグされると、パラメータ設定部２５が、機能アイコンが表す機能の設定項目に対してそのパラメータアイコンが表すパラメータを設定し、操作パネル上で機能アイコンがドロップされると、機能実行部２７が、機能アイコンが表す機能をその設定されたパラメータを用いて実行する。【選択図】図８
2014153830.tif 000002
【特許請求の範囲】
【請求項１】
自装置の機能を表す表示要素である機能表示要素が表示された表示画面上で、当該機能表示要素を指示手段で指示しながら移動させる移動操作を検出する移動操作検出手段と、
前記移動操作検出手段による前記移動操作の検出に応じて、前記機能の設定項目に対する複数の設定情報を取得する取得手段と、
前記複数の設定情報をそれぞれ表す複数の表示要素である複数の設定表示要素を前記表示画面に表示する表示手段と、
前記複数の設定表示要素のうちの一の設定表示要素上に前記機能表示要素が達したことの前記移動操作検出手段による検出に応じて、当該一の設定表示要素が表す設定情報を前記機能の前記設定項目に対して設定する設定手段と
を備えたことを特徴とする情報処理装置。
【請求項２】
前記取得手段は、前記機能の複数の設定項目のそれぞれについて前記複数の設定情報を取得し、
前記表示手段は、前記複数の設定項目のそれぞれについて前記複数の設定表示要素を表示することを特徴とする請求項１に記載の情報処理装置。
【請求項３】
前記設定手段は、前記複数の設定項目のそれぞれに対して前記複数の設定情報のうちの何れかの設定情報を予め設定しておき、前記複数の設定表示要素のうちの一の設定表示要素上に前記機能表示要素が達したことの前記移動操作検出手段による検出に応じて、当該一の設定表示要素が表す設定情報を、予め設定されていた設定情報に代えて設定することを特徴とする請求項２に記載の情報処理装置。
【請求項４】
前記表示手段は、前記表示画面の一辺である第１の辺から当該表示画面の当該一辺と当該一辺の対辺とに挟まれた第２の辺までの当該表示画面の部分を隠す表示領域であって、前記機能表示要素が当該第２の辺から当該第１の辺へ近付くと当該第２の辺が当該第１の辺から遠ざかることで面積が大きくなる表示領域内に、前記複数の設定表示要素を表示することを特徴とする請求項２又は請求項３に記載の情報処理装置。
【請求項５】
前記機能表示要素を前記指示手段で指示した状態を解除する解除操作を検出する解除操作検出手段と、
前記複数の設定表示要素のうちの何れかの設定表示要素上に前記機能表示要素が存在する状態で前記解除操作検出手段により前記解除操作が検出された場合であっても、前記複数の設定表示要素のうちの何れの設定表示要素上にも前記機能表示要素が存在しない状態で前記解除操作が検出された場合であっても、前記設定手段により設定された設定情報を用いて、前記機能を実行する実行手段と
を更に備えたことを特徴とする請求項１乃至請求項４の何れかに記載の情報処理装置。
【請求項６】
入力された画像データに基づいて画像処理を行う画像処理手段と、
前記画像処理手段の機能を表す表示要素である機能表示要素が表示された表示画面上で、当該機能表示要素を指示手段で指示しながら移動させる移動操作を検出する移動操作検出手段と、
前記移動操作検出手段による前記移動操作の検出に応じて、前記機能の設定項目に対する複数の設定情報を取得する取得手段と、
前記複数の設定情報をそれぞれ表す複数の表示要素である複数の設定表示要素を前記表示画面に表示する表示手段と、
前記複数の設定表示要素のうちの一の設定表示要素上に前記機能表示要素が達したことの前記移動操作検出手段による検出に応じて、当該一の設定表示要素が表す設定情報を前記機能の前記設定項目に対して設定する設定手段と、
前記機能表示要素を前記指示手段で指示した状態を解除する解除操作を検出する解除操作検出手段と、
前記解除操作検出手段による前記解除操作の検出に応じて、前記設定手段により設定された設定情報を用いて、前記画像処理手段が前記機能を実行するように制御する制御手段と
を備えたことを特徴とする画像処理装置。
【請求項７】
コンピュータを、
自装置の機能を表す表示要素である機能表示要素が表示された表示画面上で、当該機能表示要素を指示手段で指示しながら移動させる移動操作を検出する移動操作検出手段と、
前記移動操作検出手段による前記移動操作の検出に応じて、前記機能の設定項目に対する複数の設定情報を取得する取得手段と、
前記複数の設定情報をそれぞれ表す複数の表示要素である複数の設定表示要素を前記表示画面に表示する表示手段と、
前記複数の設定表示要素のうちの一の設定表示要素上に前記機能表示要素が達したことの前記移動操作検出手段による検出に応じて、当該一の設定表示要素が表す設定情報を前記機能の前記設定項目に対して設定する設定手段と
して機能させるためのプログラム。
【発明の詳細な説明】
【技術分野】
【０００１】
本発明は、情報処理装置、画像処理装置、プログラムに関する。
【背景技術】
【０００２】
所定の機能が割り当てられたアイテムと、ドロップ領域を画面上に表示し、アイテムがドラッグされた後にドロップ領域へドロップされるドラッグ＆ドロップ操作が行われるとドラッグされたアイテムに対応する機能を、ドロップ領域によって指定されるパラメータにより実行する技術は知られている（例えば、特許文献１参照）。
【先行技術文献】
【特許文献】
【０００３】
【特許文献１】特開２０１１−９０６５０号公報
【発明の概要】
【発明が解決しようとする課題】
【０００４】
本発明の目的は、機能の設定項目に設定情報を設定する際の操作手順を少なくすることにある。
【課題を解決するための手段】
【０００５】
請求項１に記載の発明は、自装置の機能を表す表示要素である機能表示要素が表示された表示画面上で、当該機能表示要素を指示手段で指示しながら移動させる移動操作を検出する移動操作検出手段と、前記移動操作検出手段による前記移動操作の検出に応じて、前記機能の設定項目に対する複数の設定情報を取得する取得手段と、前記複数の設定情報をそれぞれ表す複数の表示要素である複数の設定表示要素を前記表示画面に表示する表示手段と、前記複数の設定表示要素のうちの一の設定表示要素上に前記機能表示要素が達したことの前記移動操作検出手段による検出に応じて、当該一の設定表示要素が表す設定情報を前記機能の前記設定項目に対して設定する設定手段とを備えたことを特徴とする情報処理装置である。
請求項２に記載の発明は、前記取得手段は、前記機能の複数の設定項目のそれぞれについて前記複数の設定情報を取得し、前記表示手段は、前記複数の設定項目のそれぞれについて前記複数の設定表示要素を表示することを特徴とする請求項１に記載の情報処理装置である。
請求項３に記載の発明は、前記設定手段は、前記複数の設定項目のそれぞれに対して前記複数の設定情報のうちの何れかの設定情報を予め設定しておき、前記複数の設定表示要素のうちの一の設定表示要素上に前記機能表示要素が達したことの前記移動操作検出手段による検出に応じて、当該一の設定表示要素が表す設定情報を、予め設定されていた設定情報に代えて設定することを特徴とする請求項２に記載の情報処理装置である。
請求項４に記載の発明は、前記表示手段は、前記表示画面の一辺である第１の辺から当該表示画面の当該一辺と当該一辺の対辺とに挟まれた第２の辺までの当該表示画面の部分を隠す表示領域であって、前記機能表示要素が当該第２の辺から当該第１の辺へ近付くと当該第２の辺が当該第１の辺から遠ざかることで面積が大きくなる表示領域内に、前記複数の設定表示要素を表示することを特徴とする請求項２又は請求項３に記載の情報処理装置である。
請求項５に記載の発明は、前記機能表示要素を前記指示手段で指示した状態を解除する解除操作を検出する解除操作検出手段と、前記複数の設定表示要素のうちの何れかの設定表示要素上に前記機能表示要素が存在する状態で前記解除操作検出手段により前記解除操作が検出された場合であっても、前記複数の設定表示要素のうちの何れの設定表示要素上にも前記機能表示要素が存在しない状態で前記解除操作が検出された場合であっても、前記設定手段により設定された設定情報を用いて、前記機能を実行する実行手段とを更に備えたことを特徴とする請求項１乃至請求項４の何れかに記載の情報処理装置である。
請求項６に記載の発明は、入力された画像データに基づいて画像処理を行う画像処理手段と、前記画像処理手段の機能を表す表示要素である機能表示要素が表示された表示画面上で、当該機能表示要素を指示手段で指示しながら移動させる移動操作を検出する移動操作検出手段と、前記移動操作検出手段による前記移動操作の検出に応じて、前記機能の設定項目に対する複数の設定情報を取得する取得手段と、前記複数の設定情報をそれぞれ表す複数の表示要素である複数の設定表示要素を前記表示画面に表示する表示手段と、前記複数の設定表示要素のうちの一の設定表示要素上に前記機能表示要素が達したことの前記移動操作検出手段による検出に応じて、当該一の設定表示要素が表す設定情報を前記機能の前記設定項目に対して設定する設定手段と、前記機能表示要素を前記指示手段で指示した状態を解除する解除操作を検出する解除操作検出手段と、前記解除操作検出手段による前記解除操作の検出に応じて、前記設定手段により設定された設定情報を用いて、前記画像処理手段が前記機能を実行するように制御する制御手段とを備えたことを特徴とする画像処理装置である。
請求項７に記載の発明は、コンピュータを、自装置の機能を表す表示要素である機能表示要素が表示された表示画面上で、当該機能表示要素を指示手段で指示しながら移動させる移動操作を検出する移動操作検出手段と、前記移動操作検出手段による前記移動操作の検出に応じて、前記機能の設定項目に対する複数の設定情報を取得する取得手段と、前記複数の設定情報をそれぞれ表す複数の表示要素である複数の設定表示要素を前記表示画面に表示する表示手段と、前記複数の設定表示要素のうちの一の設定表示要素上に前記機能表示要素が達したことの前記移動操作検出手段による検出に応じて、当該一の設定表示要素が表す設定情報を前記機能の前記設定項目に対して設定する設定手段として機能させるためのプログラムである。
【発明の効果】
【０００６】
請求項１の発明によれば、本構成を有していない場合に比較して、機能の設定項目に設定情報を設定する際の操作手順を少なくすることができる。
請求項２の発明によれば、本構成を有していない場合に比較して、機能の複数の設定項目のそれぞれに設定情報を設定する際の操作手順を少なくすることができる。
請求項３の発明によれば、機能の複数の設定項目のそれぞれに設定情報を設定する際に、本構成を有していない場合に比較して、機能を表す機能表示要素を複数の設定項目の全てについて設定情報を表す何れかの設定表示要素上に移動させる煩雑な操作を行わなくてすむ可能性が高まる。
請求項４の発明によれば、本構成を有していない場合に比較して、複数の設定情報を表す複数の設定表示要素を表示する表示領域が隠す表示画面の部分が無駄に大きくなることを防止する可能性が高まる。
請求項５の発明によれば、機能を表す機能表示要素とは別に設けられた手段を用いずに機能の実行を指示することができる。
請求項６の発明によれば、本構成を有していない場合に比較して、機能の設定項目に設定情報を設定する際の操作手順を少なくすることができる。
請求項７の発明によれば、本構成を有していない場合に比較して、機能の設定項目に設定情報を設定する際の操作手順を少なくすることができる。
【図面の簡単な説明】
【０００７】
【図１】本発明の実施の形態が適用される画像処理装置の構成例を示した図である。
【図２】機能アイコンが表示されているときの操作パネル上の表示内容を示した図である。
【図３】一般的な方法で項目選択画面が表示されたときの操作パネル上の表示内容を示した図である。
【図４】一般的な方法でパラメータ選択画面が表示されたときの操作パネル上の表示内容を示した図である。
【図５】本発明の実施の形態で機能アイコンのドラッグが開始されたときの操作パネル上の表示内容を示した図である。
【図６】本発明の実施の形態で機能アイコンがパラメータアイコン上にドラッグされたときの表示内容を示した図である。
【図７】本発明の実施の形態で機能アイコンが複数のパラメータアイコン上をドラッグされているときの表示内容を示した図である。
【図８】本発明の実施の形態における画像処理装置の機能構成例を示したブロック図である。
【図９】本発明の実施の形態における画像処理装置がパラメータアイコンを表示する際の動作例を示したフローチャートである。
【図１０】本発明の実施の形態における画像処理装置がパラメータを設定する際の動作例を示したフローチャートである。
【発明を実施するための形態】
【０００８】
以下、添付図面を参照して、本発明の実施の形態について詳細に説明する。
図１は、本実施の形態が適用される画像処理装置１０のハードウェア構成例を示した図である。
図示するように、画像処理装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読取部１６と、画像形成部１７と、通信インターフェース（以下、「通信Ｉ／Ｆ」と表記する）１８とを備える。
【０００９】
ＣＰＵ１１は、ＲＯＭ１３等に記憶された各種プログラムをＲＡＭ１２にロードして実行することにより、後述する各機能を実現する。
ＲＡＭ１２は、ＣＰＵ１１の作業用メモリ等として用いられるメモリである。
ＲＯＭ１３は、ＣＰＵ１１が実行する各種プログラム等を記憶するメモリである。
ＨＤＤ１４は、画像読取部１６が読み取った画像データや画像形成部１７における画像形成にて用いる画像データ等を記憶する例えば磁気ディスク装置である。
操作パネル１５は、各種情報の表示やユーザからの操作入力の受付を行うタッチパネルである。ここで、操作パネル１５は、各種情報が表示される表示画面の一例であるディスプレイと、指やスタイラスペン等の指示手段で指示された位置を検出する位置検出シートとからなる。
【００１０】
画像読取部１６は、画像処理手段の一例であり、紙等の記録媒体に記録された画像を読み取る。ここで、画像読取部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１１】
画像形成部１７は、画像処理手段の一例であり、記録媒体に画像を形成する。ここで、画像形成部１７は、例えばプリンタであり、感光体に付着させたトナーを記録媒体に転写して像を形成する電子写真方式や、インクを記録媒体上に吐出して像を形成するインクジェット方式のものを用いるとよい。
通信Ｉ／Ｆ１８は、ネットワークを介して他の装置との間で各種情報の送受信を行う。
【００１２】
ところで、このような画像処理装置１０では、操作パネル１５上に表示される機能アイコンが表す機能の複数の設定項目に対してパラメータを設定することが可能となっている。但し、各機能に対してパラメータを設定するためには、一般に、機能アイコンにタッチすることで各機能の設定項目を選択するための項目選択画面を表示し、その項目選択画面内で更にパラメータを選択するためのパラメータ選択画面を表示する、という操作を行う必要があり、設定の操作が煩雑である。
【００１３】
例えば、操作パネル１５上に、設定項目「カラーモード」に対してパラメータ「フルカラー」が既定値として設定されたコピーの機能アイコン（コピーアイコン）が表示されているとする。
図２は、このときの操作パネル１５上の表示内容を示した図である。
図では、操作パネル１５上のメニュー画面３１にコピーアイコン３１１を含む６つの機能アイコンが表示されている。
ユーザが、コピーアイコン３１１を用い、設定項目「カラーモード」に対してパラメータ「モノクロ」を設定してコピーを実行する場合、上述した一般的な方法では、次のような手順を実施する必要がある。
【００１４】
第一に、ユーザは、コピーアイコン３１１にタッチすることで、コピーの設定項目を選択するための項目選択画面を表示する。
図３は、このときの操作パネル１５上の表示内容を示した図である。
図では、操作パネル１５上の項目選択画面３２に設定項目「カラーモード」を表す項目アイコン３２１（「Output Color」と表記）を含む４つの項目アイコンが表示されている。
第二に、ユーザは、項目選択画面３２の項目アイコン３２１にタッチすることで、設定項目「カラーモード」に対するパラメータを選択するためのパラメータ選択画面を表示する。
図４は、このときの操作パネル１５上の表示内容を示した図である。
図では、操作パネル１５上のパラメータ選択画面３３にパラメータ「モノクロ」を表すパラメータアイコン３３１（「Black & White」と表記）を含む２つのパラメータアイコンが表示されている。
第三に、ユーザは、パラメータ選択画面３３のパラメータアイコン３３１にタッチすることで、設定項目「カラーモード」に対してパラメータ「モノクロ」を設定する。
第四に、ユーザは、画像処理装置１０に設けられたコピーボタン（図示せず）を押下する。
即ち、上述した一般的な方法では、実施すべき手順が多くなってしまう。
【００１５】
そこで、本実施の形態では、ユーザが、コピー、ファックス、スキャン等の機能アイコンを手等で押さえて移動させるドラッグを開始すると、機能アイコンが表す機能の設定項目に対するパラメータを表すパラメータアイコンを含むパラメータエリアを表示する。そして、機能アイコンを何れかのパラメータアイコン上にドラッグすることにより、設定項目に対してそのパラメータアイコンが表すパラメータを設定する。また、機能アイコンが表す機能が複数の設定項目を持つ場合は、各設定項目に対するパラメータを表すパラメータアイコンを順次表示することにより、これらのパラメータアイコンのうち、使用したいパラメータを表すパラメータアイコン上に順次機能アイコンをドラッグすることを可能とする。ユーザは、変更したいパラメータを表す全てのパラメータアイコン上に機能アイコンをドラッグした場合、その時点で、機能アイコンを押さえた手等を操作パネル１５から離すドロップを行う。これにより、機能アイコンが通過したパラメータアイコンに対応する設定項目にはそのパラメータアイコンが表すパラメータが、それ以外の設定項目には機能アイコンに設定された既定のパラメータが使用されて、各機能アイコンに割り当てられた機能が実行される。
【００１６】
例えば、ユーザが、図２に示した操作パネル１５上で、コピーアイコン３１１のドラッグを開始すると、操作パネル１５上に、コピーの設定項目に対するパラメータを表すパラメータアイコンを含むパラメータエリアが表示される。
図５は、このときの操作パネル１５上の表示内容を示した図である。
図では、操作パネル１５上で、矢印３５３で示すようにコピーアイコン３１１のドラッグが開始されると、設定項目「カラーモード」に対するパラメータを表すパラメータアイコンとして、パラメータ「フルカラー」を表すパラメータアイコン３５１（「Full Color」と表記）及びパラメータ「モノクロ」を表すパラメータアイコン３５２（「Black & White」と表記）を含むパラメータエリア３５が下からせり出すように表示されている。
次に、ユーザが、図５に示した操作パネル１５上で、コピーアイコン３１１をパラメータアイコン３５２上にドラッグし、そこでドロップしたとする。
図６は、このときの操作パネル１５上の表示内容を示した図である。
図では、操作パネル１５上で、矢印３５４で示すようにコピーアイコン３１１がパラメータ「モノクロ」を表すパラメータアイコン３５２上にドラッグされ、そこでドロップされている。すると、コピーの設定項目「カラーモード」に対してパラメータ「モノクロ」が設定され、設定されたパラメータ「モノクロ」を用いてコピーが実施される。
【００１７】
尚、上記の例では、パラメータエリア３５に設定項目「カラーモード」に対するパラメータを表すパラメータアイコンのみを含めた。これは、設定項目「カラーモード」以外の設定項目に対するパラメータは既定値から変更しないことを前提とした簡易版のユーザインターフェイスである。どのパラメータを既定値から変更しないようにするかは、画像処理装置１０に予め設定された又は画像処理装置１０の管理者が予め設定した基準に従って決めればよい。
しかしながら、通常、機能は、レイアウト、画質等の複数の設定項目を持っている。
そこで、本実施の形態では、複数の設定項目に対してパラメータを既定値から変更できるように、パラメータエリアに複数の設定項目に対するパラメータを表すパラメータアイコンを含める。そして、この場合、パラメータエリア内の機能アイコンが存在するパラメータアイコンの位置に応じてパラメータエリアを拡大したり縮小したりする機能も提供する。
また、複数の設定項目に対して設定するパラメータとしては、機能アイコンがドロップされるまでにドラッグされてきた経路上にあるパラメータアイコンが表すパラメータを使用する。この場合、機能アイコンがドラッグされてきた経路上にない設定項目に対しては既定のパラメータが使用される。
【００１８】
図７は、このときの操作パネル１５上の表示内容を示した図である。
図では、操作パネル１５上に、設定項目「カラーモード」に対するパラメータを表すパラメータアイコンとして、パラメータ「フルカラー」を表すパラメータアイコン３６１（「Full Color」と表記）及びパラメータ「モノクロ」を表すパラメータアイコン３６２（「Black & White」と表記）を、設定項目「コレート」に対するパラメータを表すパラメータアイコンとして、パラメータ「コレートあり」を表すパラメータアイコン３６３（「Collated」と表記）及びパラメータ「コレートなし」を表すパラメータアイコン３６４（「Uncollated」と表記）を、設定項目「画質」に対するパラメータを表すパラメータアイコンとして、パラメータ「テキスト」を表すパラメータアイコン３６５（「Text」と表記）及びパラメータ「写真」を表すパラメータアイコン３６６（「Photo」と表記）を含むパラメータエリア３６が下からせり出すように表示されている。そして、コピーアイコン３１１が、矢印３６７で示すようにパラメータ「モノクロ」を表すパラメータアイコン３６２上にドラッグされ、続けて、矢印３６８で示すようにパラメータ「コレートあり」を表すパラメータアイコン３６３上へドラッグされ、このパラメータアイコン３６３上でドロップされている。これにより、設定項目「カラーモード」に対してはパラメータ「モノクロ」が設定され、設定項目「コレート」に対してはパラメータ「コレートあり」が設定されるが、それ以外の設定項目に対してはコピーアイコン３１１に事前に設定されたパラメータが設定される。
【００１９】
尚、図７に示したように、機能が複数の設定項目を有する場合は、ドラッグ中の機能アイコンをパラメータエリア３６の上部に移動するとパラメータエリア３６が下方向に沈んでいき、ドラッグ中の機能アイコンをパラメータエリア３６の下部に移動するとパラメータエリア３６が上方向にせり出してくるようにするとよい。この場合、パラメータエリア３６は、表示画面の一辺である第１の辺から表示画面の一辺と対辺とに挟まれた第２の辺までの表示画面の部分を隠す表示領域であって、機能表示要素が第２の辺から第１の辺へ近付くと第２の辺が第１の辺から遠ざかることで面積が大きくなる表示領域の一例である。より詳しく述べると、操作パネル１５の下辺は表示画面の一辺の一例であり、操作パネル１５の上辺は表示画面の対辺の一例であり、パラメータエリア３６の下辺は表示領域の第１の辺の一例であり、パラメータエリア３６の上辺は表示領域の第２の辺の一例である。
また、この表示領域の別の形態としては、沈む方向が上方向でせり出す方向が下方向であるもの、沈む方向が左方向でせり出す方向が右方向であるもの、沈む方向が右方向でせり出す方向が左方向であるものも考えられる。沈む方向及びせり出す方向をどの方向にするかは、例えば、ドラッグを開始した機能アイコンが操作パネル１５上の上側、下側、左側、右側の何れにあったかに応じて決定すればよい。
【００２０】
次に、このような動作を実現する画像処理装置１０の構成について説明する。
図８は、画像処理装置１０の機能構成例を示したブロック図である。
図示するように、画像処理装置１０は、アイコンドラッグ検知部２１と、パラメータエリア表示部２２と、パラメータ取得部２３と、パラメータ表示部２４と、パラメータ設定部２５と、アイコンドロップ検知部２６と、機能実行部２７とを備えている。
【００２１】
アイコンドラッグ検知部２１は、操作パネル１５上で機能アイコンをドラッグするユーザ操作を検知し、機能アイコンのドラッグが開始されるとその旨をパラメータエリア表示部２２及びパラメータ取得部２３に伝える。また、アイコンドラッグ検知部２１は、パラメータ表示部２４からパラメータアイコンの表示位置を知らされ、これと機能アイコンの表示位置とを比較することにより機能アイコンがパラメータアイコン上にドラッグされたかどうかを判定し、機能アイコンがパラメータアイコン上にドラッグされていればその旨をパラメータ設定部２５に伝える。本実施の形態では、機能を表す表示要素である機能表示要素の一例として、機能アイコンを用いており、機能表示要素を指示手段で指示しながら移動させる移動操作の一例として、ドラッグ操作を用いており、移動操作を検出する移動操作検出手段の一例として、アイコンドラッグ検知部２１を設けている。
【００２２】
パラメータエリア表示部２２は、アイコンドラッグ検知部２１から機能アイコンのドラッグが開始された旨を伝えられると、パラメータエリアを操作パネル１５上に表示する。
【００２３】
パラメータ取得部２３は、アイコンドラッグ検知部２１から機能アイコンのドラッグが開始された旨を伝えられると、その機能アイコンが表す機能の設定項目を特定し、その設定項目に対するパラメータを取得する。その際、その機能アイコンが表す機能の複数の設定項目の中から、予め設定された基準に従って一部の設定項目を特定し、その設定項目に対するパラメータを取得するようにしてもよい。また、パラメータ取得部２３は、取得したパラメータをパラメータ表示部２４及びパラメータ設定部２５に伝える。本実施の形態では、機能の設定項目に対する設定情報の一例として、パラメータを用いており、複数の設定情報を取得する取得手段の一例として、パラメータ取得部２３を設けている。
【００２４】
パラメータ表示部２４は、パラメータ取得部２３から伝えられたパラメータを表すパラメータアイコンを、操作パネル１５上のパラメータエリア内に表示する。また、パラメータ表示部２４は、操作パネル１５上でのパラメータアイコンの表示位置をアイコンドラッグ検知部２１に伝える。本実施の形態では、設定情報を表す表示要素である設定表示要素の一例として、パラメータアイコンを用いており、複数の設定表示要素を表示画面に表示する表示手段の一例として、パラメータ表示部２４を設けている。
【００２５】
パラメータ設定部２５は、パラメータ取得部２３から伝えられたパラメータを、機能アイコンが表す機能の設定項目に対する既定のパラメータとして設定する。また、パラメータ設定部２５は、アイコンドラッグ検知部２１から機能アイコンがパラメータアイコン上にドラッグされた旨を伝えられると、そのパラメータアイコンが表すパラメータによって、機能アイコンが表す機能のそのパラメータに対応する設定項目に対して設定された既定のパラメータを上書きする。本実施の形態では、設定情報を機能の設定項目に対して設定する設定手段の一例として、パラメータ設定部２５を設けている。
【００２６】
アイコンドロップ検知部２６は、操作パネル１５上で機能アイコンをドロップするユーザ操作を検知し、機能アイコンがドロップされるとその旨を機能実行部２７に伝える。本実施の形態では、機能表示要素を指示手段で指示した状態を解除する解除操作の一例として、ドロップ操作を用いており、解除操作を検出する解除操作検出手段の一例として、アイコンドロップ検知部２６を設けている。
【００２７】
機能実行部２７は、アイコンドロップ検知部２６から機能アイコンがドロップされた旨を伝えられると、機能アイコンが表す機能を、パラメータ設定部２５が設定したパラメータを用いて実行する。本実施の形態では、機能を実行する実行手段の一例として、また、画像処理手段が機能を実行するように制御する制御手段の一例として、機能実行部２７を設けている。
【００２８】
尚、これらの機能部は、ソフトウェアとハードウェア資源とが協働することにより実現される。具体的には、ＣＰＵ１１が、アイコンドラッグ検知部２１、パラメータエリア表示部２２、パラメータ取得部２３、パラメータ表示部２４、パラメータ設定部２５、アイコンドロップ検知部２６、機能実行部２７を実現するプログラムを例えばＨＤＤ１４からＲＡＭ１２に読み込んで実行することにより、これらの機能部は実現される。
【００２９】
次いで、本実施の形態における画像処理装置１０の動作について説明する。
図９は、画像処理装置１０がパラメータアイコンを表示する際の動作例を示したフローチャートである。
図示するように、画像処理装置１０では、まず、アイコンドラッグ検知部２１が、操作パネル１５上で機能アイコンのドラッグが開始されたかどうかを判定する（ステップ２０１）。
機能アイコンのドラッグが開始されていないと判定した場合、アイコンドラッグ検知部２１は、ステップ２０１でドラッグの開始を待ち続けるが、機能アイコンのドラッグが開始されたと判定した場合、パラメータエリア表示部２２は、操作パネル１５上にパラメータエリアを表示する（ステップ２０２）。
また、このとき、パラメータ取得部２３は、機能アイコンが表す機能を特定し（ステップ２０３）、その機能の設定項目に対するパラメータを取得する（ステップ２０４）。
すると、この取得されたパラメータはパラメータ表示部２４に渡され、パラメータ表示部２４が、取得されたパラメータを表すパラメータアイコンを、操作パネル１５上のパラメータエリア内に表示する（ステップ２０５）。尚、このとき、パラメータ表示部２４は、操作パネル１５上でのパラメータアイコンの表示位置をアイコンドラッグ検知部２１に伝えておく。
一方で、この取得されたパラメータはパラメータ設定部２５にも渡され、パラメータ設定部２５が、取得されたパラメータを、機能アイコンが表す機能の設定項目に対するパラメータの既定値として設定する（ステップ２０６）。
【００３０】
図１０は、画像処理装置１０がパラメータを設定する際の動作例を示したフローチャートである。
図示するように、アイコンドラッグ検知部２１は、機能アイコンがパラメータ上にドラッグされたかどうかを判定する（ステップ２５１）。具体的には、アイコンドラッグ検知部２１は、パラメータ表示部２４から伝えられたパラメータアイコンの表示位置と、自身が管理する機能アイコンの表示位置とを比較することにより、この判定を行う。
その結果、機能アイコンがパラメータアイコン上にドラッグされていないと判定されれば、アイコンドロップ検知部２６は、機能アイコンがドロップされたかどうかを判定する（ステップ２５２）。
一方、機能アイコンがパラメータアイコン上にドラッグされたと判定されれば、パラメータ設定部２５は、機能アイコンが表す機能の設定項目に対してステップ２０６で設定されたパラメータを、ステップ２５１で機能アイコンがドラッグされたと判定されたパラメータアイコンが表すパラメータで上書きする（ステップ２５３）。そして、アイコンドロップ検知部２６は、機能アイコンがドロップされたかどうかを判定する（ステップ２５２）。
ステップ２５２で機能アイコンがドロップされていないと判定されれば、処理はステップ２５１に戻る。また、ステップ２５２で機能アイコンがドロップされたと判定されれば、機能実行部２７は、ステップ２５３で上書きされていないパラメータについてはステップ２０６でパラメータ設定部２５が設定したパラメータを用いて、また、ステップ２５３で上書きされたパラメータについてはパラメータ設定部２５が上書きした後のパラメータを用いて、機能を実行する（ステップ２５４）。
【００３１】
尚、本実施の形態を実現するプログラムは、通信手段により提供することはもちろん、ＣＤ−ＲＯＭ等の記録媒体に格納して提供することも可能である。
【符号の説明】
【００３２】
１０…画像処理装置、２１…アイコンドラッグ検知部、２２…パラメータエリア表示部、２３…パラメータ取得部、２４…パラメータ表示部、２５…パラメータ設定部、２６…アイコンドロップ検知部、２７…機能実行部
【図１】
2014153830.tif 000003
【図２】
2014153830.tif 000004
【図３】
2014153830.tif 000005
【図４】
2014153830.tif 000006
【図５】
2014153830.tif 000007
【図６】
2014153830.tif 000008
【図７】
2014153830.tif 000009
【図８】
2014153830.tif 000010
【図９】
2014153830.tif 000011
【図１０】
2014153830.tif 000012